(57)【要約】【課題】薄型化及び軽量化を図ることができるバックライトアセンブリ及び平板表示装置を提供する。【解決手段】本発明のバックライトアセンブリは、光を生成する光源ユニットと、光をガイドし、第１支持部を含む導光板と、収納空間を定義する底面及び複数の側壁、第１支持部と結合する第２支持部を含む収納容器と、を含み、収納容器は、伝導性金属を含む。また、本発明の表示装置は、さらに、光の入力を受けて画像を表示する表示ユニットをさらに含む。【選択図】図３
2014032971.tif 000002
【特許請求の範囲】
【請求項１】
光を生成する光源ユニットと、
前記光をガイドし、第１支持部を含む導光板と、
収納空間を定義する底面及び複数の側壁、前記第１支持部と結合する第２支持部を含む収納容器と、を含み、
前記収納容器は、伝導性金属を含むことを特徴とするバックライトアセンブリ。
【請求項２】
前記第１支持部は、前記導光板の側面において内側に陥没された溝であり、
前記第２支持部は、前記収納容器において内側に突出した突出部であることを特徴とする請求項１に記載のバックライトアセンブリ。
【請求項３】
前記第１支持部は、前記導光板の側面において外側に突出した第１突出部であり、
前記第２支持部は、前記収納容器において外側に突出した第２突出部であることを特徴とする請求項１に記載のバックライトアセンブリ。
【請求項４】
前記収納容器に結合するモールドフレームをさらに含むことを特徴とする請求項１に記載のバックライトアセンブリ。
【請求項５】
前記モールドフレームは第１締結部を含み、
前記収納容器は前記第１締結部に結合する第２締結部を含むことを特徴とする請求項４に記載のバックライトアセンブリ。
【請求項６】
前記第１締結部は突出部を含み、
前記第２締結部は前記突出部と結合するホールを含み、
前記ホールは前記収納容器の前記側壁に形成されることを特徴とする請求項５に記載のバックライトアセンブリ。
【請求項７】
前記導光板上に配置される光学シートをさらに含むことを特徴とする請求項１に記載のバックライトアセンブリ。
【請求項８】
前記光学シートは第１固定部を含み、
前記収納容器は前記第１固定部と結合する第２固定部を含むことを特徴とする請求項７に記載のバックライトアセンブリ。
【請求項９】
前記第１固定部はホールを含み、
前記第２固定部は前記ホールと結合する突出部を含み、
前記突出部は前記収納容器の前記側壁の上面に形成されることを特徴とする請求項８に記載のバックライトアセンブリ。
【請求項１０】
前記第１固定部は前記導光板の側壁から外部に突出することを特徴とする請求項８に記載のバックライトアセンブリ。
【請求項１１】
前記第２支持部は、前記収納容器の一部分を折り曲げて形成されることを特徴とする請求項１に記載のバックライトアセンブリ。
【請求項１２】
光を生成する光源ユニットと、
前記光をガイドし、第１支持部を含む導光板と、
前記光の入力を受けて画像を表示する表示ユニットと、
収納空間を定義する底面及び複数の側壁、前記第１支持部と結合する第２支持部を含む収納容器と、を含み、
前記収納容器は、伝導性金属を含むことを特徴とする表示装置。
【請求項１３】
前記表示ユニットは、前記画像を表示する表示パネル及び前記表示パネルと接続される印刷回路基板を含むことを特徴とする請求項１２に記載の表示装置。
【請求項１４】
前記収納容器は、前記印刷回路基板を支持するために前記収納容器の背面から突出する印刷回路基板支持部をさらに含むことを特徴とする請求項１３に記載の表示装置。
【請求項１５】
前記印刷回路基板をカバーするために前記収納容器の下に配置される印刷回路基板カバーをさらに含むことを特徴とする請求項１４に記載の表示装置。
【発明の詳細な説明】
【技術分野】
【０００１】
本発明は平板表示装置に関するものであり、より詳細には、平板表示装置の全体大きさと重みを最少化することができる平板表示装置に関するものである。
【背景技術】
【０００２】
最近、情報処理機器は多様な形態、多様な機能、より高速の情報処理速度を有するように急速に発展している。このような情報処理装置で処理される情報は電気信号の形態を有する。使用者が情報処理装置で処理された情報を目で確認するためにはインターフェース機能を有するディスプレー装置を必要とする。
【０００３】
最近、ＣＲＴ方式のディスプレー装置に比べて、軽量、小型でありながら、フル−カラー、高解像度化などの機能を有する液晶表示装置の開発が進んでいる。その結果、液晶表示装置は代表的な情報処理装置であるコンピュータのモニター、家庭用壁掛けテレビ、それ以外の情報処理装置のディスプレー装置として広く使用されることになった。
【０００４】
液晶表示装置は、液晶の特定の分子配列に電圧を印加して異なる分子配列へ変換させ、このような分子配列により発生する液晶セルの複屈折性、旋光性、２色性及び光散乱特性などの光学的性質の変化を視覚変化へ変換することで、液晶セルによる光の変調を利用したディスプレーである。
【０００５】
図１は一般的な液晶表示装置を概略的に示した分解斜視図であり、図２は図１に示した液晶表示装置の結合構造を示す断面図である。
【０００６】
図１と図２に示すように、一般的な液晶表示装置１００は前面ケース１１０、トップシャーシ１２０、液晶表示モジュール１３０、ボトムシャーシ１４０、ボトムモールドフレーム１５０及び背面ケース１６０とを含む。
【０００７】
液晶表示モジュール１３０は光を発生するバックライトアセンブリ１３４、ミドルモールドフレーム１３３及びバックライトアセンブリ１３４から射出される光により画像を表示するディスプレーユニット１３２を含む。特に、ディスプレーユニットは液晶表示パネル１３２ａ、データ及びゲートＰＣＢ（印刷回路基板）１３２ｆ、データ及びゲートテープキャリアパッケージ１３２ｅ、１３２ｄとを含む。
【０００８】
より詳細には、液晶表示パネル１３２ａはマトリックス状の薄膜トランジスターが形成されている透明なガラス基板である薄膜トランジスター基板１３２ｂとこれに対向するカラーフィルタ基板１３２ｃ及び液晶（図示せず）を含む。
【０００９】
カラーフィルタ基板１３２ｃは光が通過すると所定の色が発現される色画素であるＲＧＢ画素が薄膜工程により形成された基板である。カラーフィルタ基板１３２ｃの前面にはＩＴＯから成る共通電極が塗布されている。
【００１０】
前述した薄膜トランジスター基板１３２ｂのトランジスターのゲート端子及びソース端子には電源が印加されて薄膜トランジスターがターンオンされると、画素電極とカラーフィルタ基板の共通電極との間には電界が形成される。このような電界により薄膜トランジスター基板とカラーフィルタ基板の間に注入された液晶の配列角が変化し、変化した配列角に従って光透過率が変更されて所望の画素を得ることになる。
【００１１】
一方、前記液晶表示パネルの液晶の配列角と液晶が配列される時期を制御するために、薄膜トランジスターのゲートライン及びデータラインに駆動信号及びタイミング信号が印加される。
【００１２】
ディスプレーユニットの下には前記ディスプレーユニットに均一な光を提供するためのバックライトアセンブリ１３４が具備されている。バックライトアセンブリ１３４には、光を発生させるためのランプユニット１３４ｃ、１３４ｄ、光をディスプレーユニット側に案内しながら光の経路を変更するための導光板１３４ｂ、導光板１３４ｂから射出される光の輝度を均一にするための複数個の光学シート１３４ａ及び前記導光板１３４ｂの下で導光板から漏洩される光を導光板に反射させて光の効率を高めるための反射板１３４ｅが含まれる。
【００１３】
バックライトアセンブリ１３４は収納容器であるボトムシャーシ１４０に順に収納され、一方前記ボトムシャーシ１４０はボトムモールドフレーム１５０に結合される。
【発明の概要】
【発明が解決しようとする課題】
【００１４】
本発明の目的は、上述した構成及び結合構造を有する平板表示装置の全体的な大きさと重さを最少化することができ、これにより製品生産原価を最少化することができる平板表示装置を提供することにある。
【課題を解決するための手段】
【００１５】
上述した目的を達成するための本発明によるバックライトアセンブリは、光を生成する光源ユニットと、前記光をガイドし、第１支持部を含む導光板と、収納空間を定義する底面及び複数の側壁、前記第１支持部と結合する第２支持部を含む収納容器と、を含み、前記収納容器は、伝導性金属を含む。
【００１６】
前記第１支持部は、前記導光板の側面において内側に陥没された溝であり、前記第２支持部は、前記収納容器において内側に突出した突出部であってもよい。
【００１７】
前記第１支持部は、前記導光板の側面において外側に突出した第１突出部であり、前記第２支持部は、前記収納容器において外側に突出した第２突出部であってもよい。
【００１８】
前記収納容器に結合するモールドフレームをさらに含んでもよい。
【００１９】
前記モールドフレームは第１締結部を含み、前記収納容器は前記第１締結部に結合する第２締結部を含んでもよい。
【００２０】
前記第１締結部は突出部を含み、前記第２締結部は前記突出部と結合するホールを含み、前記ホールは前記収納容器の前記側壁に形成されてもよい。
【００２１】
前記導光板上に配置される光学シートをさらに含んでもよい。
【００２２】
前記光学シートは第１固定部を含み、前記収納容器は前記第１固定部と結合する第２固定部を含んでもよい。
【００２３】
前記第１固定部はホールを含み、前記第２固定部は前記ホールと結合する突出部を含み、前記突出部は前記収納容器の前記側壁の上面に形成されてもよい。
【００２４】
前記第１固定部は前記導光板の側壁から外部に突出してもよい。
【００２５】
前記第２支持部は、前記収納容器の一部分を折り曲げて形成されてもよい。
【００２６】
また、上述した目的を達成するための本発明による表示装置は、光を生成する光源ユニットと、前記光をガイドし、第１支持部を含む導光板と、前記光の入力を受けて画像を表示する表示ユニットと、収納空間を定義する底面及び複数の側壁、前記第１支持部と結合する第２支持部を含む収納容器と、を含み、前記収納容器は、伝導性金属を含む。
【００２７】
前記表示ユニットは、前記画像を表示する表示パネル及び前記表示パネルと接続される印刷回路基板を含んでもよい。
【００２８】
前記収納容器は、前記印刷回路基板を支持するために前記収納容器の背面から突出する印刷回路基板支持部をさらに含んでもよい。
【００２９】
前記収納手段の背面には部分的に突出される一つ以上の第１接地部を含むようにしてもよい。
【００３０】
前記印刷回路基板をカバーするために前記収納容器の下に配置される印刷回路基板カバーをさらに含んでもよい。
【発明の効果】
【００３１】
このような平板表示装置によると、ボトムシャーシがバックライトアセンブリを収納する機能まで担当することにより、平板表示装置の製造原価を最少化することができ、バックライトアセンブリを収納するボトムモールドフレームの削除による軽量化を図ることができる。
【００３２】
本発明によると、従来のボトムモールドフレームが担当したバックライトアセンブリの収納機能をボトムシャーシが代ることにより、ボトムモールドフレームの使用を排除させることができるために、平板表示装置の製造原価を最少化することができ、ボトムモールドフレームの削除による軽量化を図ることができる。
【００３３】
また、ボトムシャーシ背面に相対的に熱伝導性が低いボトムモールドフレーム使用を排除することにより、ランプユニットから発生される熱が優れる熱伝導性を有したボトムシャーシにより外部に容易に発散されることができるために、熱による液晶表示装置の品質不良を改善させることができる。
【図面の簡単な説明】
【００３４】
【図１】従来の液晶表示装置を概略的に示した分解斜視図である。
【図２】図１に示した液晶表示装置の結合構造を示した断面図である。
【図３】本発明の実施形態による液晶表示装置の分解斜視図である。
【図４】図３に示した光学シートを示した平面図である。
【図５】図３に示した導光板の構造を具体的に示した斜視図である。
【図６】本発明の一実施形態によるボトムシャーシの支持部材の構造を示した図である。
【図７】本発明によるバックライトアセンブリ装置の結合構造を具体的に示した分解斜視図である。
【図８】図３に示したモールドフレームの背面構造を示した背面図である。
【図９】図３に示したモールドフレームの内面構造を示した図面である。
【図１０】図６のボトムシャーシと図９のモールドフレームが結合された状態を示す部分断面図である。
【図１１】本発明の他の実施形態によるボトムシャーシの構造を示した斜視図である。
【図１２】図３の反射板と図１１の導光板の取付構造を示した図面である。
【図１３】図６のボトムシャーシの背面構造を説明するための図である。
【図１４】図６のボトムシャーシの背面構造を説明するための図である。
【図１５】図１０のボトムシャーシに対応するモールドフレームの背面構造を示した背面図である。
【図１６】図５のバックライトアセンブリの収納及び固定構造を示すための図面である。
【図１７】図５のディスプレーユニットの収納及び固定構造を示すための図面である。
【図１８】図１５のＰＣＢカバーを説明するための斜視図である。
【図１９】ボトムシャーシと結合された統合ＰＣＢの構造を説明するための図である。
【図２０】本発明のまた他の実施形態によるボトムシャーシの支持部材の構造を示す図面である。
【発明を実施するための最良の形態】
【００３５】
以下、図面を参照して本発明の望ましい一実施形態をより詳細に説明する。
【００３６】
図３は本発明による平板表示装置を説明するための分解斜視図として、特に液晶表示装置を例を挙げて説明する。
【００３７】
図３に示すように、本発明による液晶表示装置はフロントケース２００、画像信号が印加され画像を表示する液晶表示モジュール３００及びリアケース４００を含む。
【００３８】
フロントケース２００とリアケース４００は合体され、前記した液晶表示モジュール３００を収納する。
【００３９】
液晶表示モジュール３００はトップシャーシ３１０、ディスプレーユニット３２０、モールドフレーム３３０、光学シート３４０、導光板３５０、反射板３６０及びボトムシャーシ３７０とを含み、外部から提供される画像信号に応答して一定した画像をディスプレーする。
【００４０】
より詳細には、トップシャーシ３１０はフロントケース２００とディスプレーユニット３２０との間に配置される。
【００４１】
ディスプレーユニット３２０は液晶表示パネル（３２１，３２２）ゲート側テープキャリアパッケージ３２３（以下、ＴＣＰと称する）、データ側ＴＣＰ３２４及びパネル駆動用印刷回路基板（以下、統合ＰＣＢと称する）３２５とを含む。ここで、液晶表示パネルはカラーフィルタ基板３２１と薄膜トランジスター基板３２２及び液晶（図示せず）を含む。
【００４２】
薄膜トランジスター基板３２２はマトリックス状の薄膜トランジスターが形成されている透明なガラス基板である。薄膜トランジスターのソース端子にはデータラインが連結され、ゲート端子にはゲートラインが連結される。かつ、ドレーン端子は透明な導電性材質であるインジウムティンオキサイド（ＩＴＯ）より成る画素電極を用いて形成される。
【００４３】
データライン及びゲートラインに電気信号を入力すると、各々の薄膜トランジスターのソース端子とゲート端子に電気信号が入力され、この電気的な信号の入力に従って薄膜トランジスターはターンオンまたはターンオフされて、ドレーン端子を介して画素形成に必要な電気信号が出力される。
【００４４】
前記薄膜トランジスター基板３２２に対向してカラーフィルタ基板３２１が具備されている。カラーフィルタ基板３２１は光が通過すると所定の色が発現される色画素であるＲＧＢ画素が薄膜工程により形成された基板である。カラーフィルタ基板３２１の前面にはＩＴＯから成る共通電極が塗布されている。
【００４５】
前述した薄膜トランジスター基板３２２のトランジスターのゲート端子及びソース端子には電源が印加されて薄膜トランジスターがターンオンされると、画素電極とカラーフィルタ基板の共通電極との間には電界が形成される。このような電界により薄膜トランジスター基板３２２とカラーフィルタ基板３２１の間に注入された液晶の配列角が変化し、変化した配列角に従って光透過率が変更されて所望の画素を得ることになる。また、前記液晶表示パネルの液晶の配列角と液晶が配列される時期を制御するために、薄膜トランジスターのゲートライン及びデータラインに駆動信号及びタイミング信号が印加される。
【００４６】
統合ＰＣＢ３２５にはゲート側ＴＣＰ３２３に接続され液晶表示パネルのゲートラインを駆動するための駆動回路と、データ側ＴＣＰ３２４に接続され液晶表示パネルのデータラインを駆動するための駆動回路が共に実装される。
【００４７】
即ち、ゲート側ＴＣＰ３２３にはゲートラインを駆動する信号を液晶表示パネルに提供するための配線パターンなどが実装される。また、統合ＰＣＢ３２５はデータ側ＴＣＰ３２４を通じて液晶表示パネルの一側にのみ結合される。
【００４８】
一方、統合ＰＣＢ３２５は各々のＰＣＢにより構成されているゲートＰＣＢ及びデータＰＣＢの駆動回路を一つのＰＣＢに統合して構成されるために、高密度の実装技術を必要とする。ここで、チップオングラス（ＣＯＧ：ＣｈｉｐｏｎＧｌａｓｓ）方式を適用してゲート及びデータ駆動回路の部品をパッケージ状態ではないチップ又は部品状態でボード上に直接的にワイヤボンディング（ｗｉｒｅｂｏｎｄｉｎｇ）又はバンプ（ｂｕｍｐ）利用の型式で実装することができる。
【００４９】
示したように、液晶表示パネルのソース側にはデータ駆動信号の印加時期を決定する可撓性印刷回路基板の一種であるデータ側ＴＣＰ３２４が取付けられ、ゲート側にはゲートの駆動信号の印加時期を決定するためにゲート側ＴＣＰ３２３が取付けられている。
【００５０】
液晶表示パネルの外部から画像信号の入力を受けてゲートラインとデータラインに各々駆動信号を印加するための統合ＰＣＢ３２５は液晶表示パネルのデータライン側のデータ側ＴＣＰ３２４に接続される。
【００５１】
統合ＰＣＢ３２５はコンピュータなどのような外部の情報処理装置（図示せず）から発生した画像信号の印加を受けて液晶表示パネルにデータ駆動信号を提供するためのソース部と液晶表示パネルのゲートラインにゲート駆動信号を提供するためのゲート部が形成されている。
【００５２】
即ち、統合ＰＣＢ３２５は液晶表示装置を駆動するための信号であるゲート駆動信号、データ信号及びこれら信号を適切な時期に印加するための複数のタイミング信号を発生させ、ゲート駆動信号はゲートＴＣＰ３２３を通じて液晶表示パネルのゲートラインに印加し、データ信号はデータＴＣＰ３２４を通じて液晶表示パネルのデータラインに印加する。
【００５３】
モールドフレーム３３０は外郭部に一定した支持部を備えて、ディスプレーユニット３２０を支持し、下端部において、下部に備えられる複数の光学シート３４０、導光板３５０及び反射板３６０の位置を固定するようにボトムシャーシ３７０と結合する。
【００５４】
光学シート３４０は下部に備えられる導光板３５０から射出された光の輝度を向上させる。このような光学シートについては、次の図４を参照してより詳細に説明する。
【００５５】
導光板３５０は両側部に備えられる第１及び第２ランプユニット３５２、３５４から入射された光を光学シート３４０を経てディスプレーユニット３２０側に指向させるように、光の経路を変更する。特に、第１ランプユニット３５２と第２ランプユニット３５４は光を発生するためのランプと、前記ランプを取囲み前記ランプから発生される光を一方向に反射させるためのランプカバーを各々含むことが望ましい。ここで、ランプは主に冷陰極線管が使用され、ランプカバーはランプから発生された光を導光板３５０側に反射させ集光効率を高める役割を有する。
【００５６】
また、第１及び第２ランプユニット３５２、３５４は後述されるボトムシャーシ３７０の対向する側壁に挿入して固定される。第１及び第２ランプユニット３５２、３５４で発生された光は後述される導光板３５０の対向する側面部に入射することになる。
【００５７】
第１及び第２ランプユニット３５２、３５４とボトムシャーシ３７０との具体的な結合構造は後述されるボトムシャーシ３７０で説明し、上述した導光板については図５を参照してより詳細に説明する。
【００５８】
反射板３６０は導光板３５０から漏洩した光を再び導光板に反射させる。
【００５９】
ボトムシャーシ３７０は複数の光学シート３４０を固定するための突出部と導光板３５０を固定するための固定用ボスを備えて、光学シート３４０、導光板３５０及び反射板３６０を収納してモールドフレーム３３０と締結される。特に、ボトムシャーシ３７０は金属のような熱に関しての伝導性材質からなることが望ましいが、このような伝導性材質を利用することにより、相対的に熱伝導性が低いボトムモールドフレームの使用を排除することができ、また第１及び第２ランプユニット３５２、３５４から発生される熱が優れた熱伝導性を有したボトムシャーシ３７０により外部に容易に発散されることができるために、熱による液晶表示装置の品質不良を改善させることができる。
【００６０】
以上では、導光板の側面にランプを設けるエッジ方式を用いる液晶表示装置を一例として説明したが、本発明の技術的思想は一つのランプユニットを用いた液晶表示装置でも同一の目的及び効果を達成することができる。
【００６１】
また、導光板の背面に配置される拡散板の下部面に複数個のランプを液晶表示装置の長さ方向に沿って設ける直下方式でも同様に適用することができる。
【００６２】
図４は図３の液晶表示装置に備えられる光学シートを示した平面図である。
【００６３】
図３と図４に示すように、光学シート３４０には導光板３５０の端辺方向の両側部と対応する両端部から延びて所定幅を有するように突出したシート固定部３４２、３４４、３４６が各々形成され、シート固定部３４２、３４４、３４６にはシート固定部３４２、３４４、３４６を貫通して後述されるボトムシャーシ３７０の固定用ボスに結合される固定ホール３４２ａ、３４４ａ、３４６ａが形成されている。
【００６４】
ここで、シート固定部３４２、３４４、３４６は本発明の一実施形態に示したように、光学シート３４０の対向する両端部に形成個数を相違させて、光学シート３４０の実装時に作業者が光学シート３４０を逆に組立てることを防止することができる。
【００６５】
図５は上述した図３の液晶表示装置に備えられる導光板を説明するための斜視図である。
【００６６】
図３と図５に示すように、導光板３５０はディスプレーユニット３２０の液晶表示パネルに対応する大きさと共に均一な厚さを有する平面形状からなっており、一般的にアクリルのようなプラスチック系の透明な物質により構成されている。勿論、図示したように導光板３５０の両側部にランプユニットが配置される場合には、導光板３５０は均一な厚さを有する平面形状（又はフラットタイプ導光板）で形成することができるが、ランプユニットが導光板のいずれか一側部に備えられる場合には、導光板３５０の上面は液晶表示パネルに平行であり、底面は一側から他の一側に行くほど厚さが増加され、又は減少されるくさび形状（又はウェッジタイプ導光板）を有するように形成されることもできる。
【００６７】
また、導光板３５０の対向する端面方向の両側面には、各側面から導光板３５０の内部に向かって所定幅を有し、大略「コ」字形状からなったガイド溝３５０ａ、３５０ｂが形成され、導光板３５０がボトムシャーシ３７０内に収納された状態で衝撃などにより導光板３５０が水平方向に移動されることを防止することができるようになっている。勿論、図面上には導光板の両側部に二つのガイド溝を備えることを説明したが、ボトムシャーシ３７０に備えられる固定用ボスの数と位置に連動することは自明である。
【００６８】
また、導光板３５０の下部面にはドットパターン（図示せず）が一定間隔に配列して印刷されるものが望ましいが、この場合第１及び第２ランプユニット３５２、３５４から発生された光が導光板３５０の両側部に入射され印刷されたドットパターンにより反射された後、上側に進行することになる。
【００６９】
導光板３５０の下部には図３に示したように反射板３６０が備えられる。このような反射板３６０は第１及び第２ランプユニット３５２、３５４から発生された光のうちでドットパターンにより反射されずに、下部に漏洩される光を再び導光板３５０に反射させることにより、光の効率を高くする。反射板３６０は導光板３５０に形成されたガイド溝３５０ａ、３５０ｂと同一形状のものを備えることができ、またこのようなガイド溝形状を備えないこともできる。
【００７０】
導光板３５０の上部には導光板３５０から射出される光の輝度を均一にするための複数のシートからなった光学シート３４０が備えられる。ここで、光学シート３４０は導光板３５０から射出される光の光束分布が均一であるように拡散させる役割を有すると共に、拡散された光を再び液晶表示パネルの平面に対して垂直な方向に集光させる役割を有する。
【００７１】
図６は本発明の一実施形態によるボトムシャーシの支持部材の構造を示す図であり、図７は前記した図３の液晶表示装置でランプユニットの収納構造を説明するための分解斜視図である。
【００７２】
図６に示すように、ボトムシャーシ３７０は基底面と四つの側壁からなった収納空間からなり、収納空間内に反射板３６０、導光板３５０及び光学シート３４０を順に積層して収納する。
【００７３】
ボトムシャーシ３７０の四つの側壁のうち、短辺方向の互いに対向する側壁を第１及び第２側壁５１０、５２０と称し、長辺方向の互いに対向する側壁を第３及び第４側壁５３０、５４０と称する。図６を参照しボトムシャーシ３７０の構造をより具体的に説明する。
【００７４】
ボトムシャーシ３７０は第１側壁５１０と第２側壁５２０の中央部に導光板３５０のガイド溝３５０ａ、３５０ｂの形状と対応してガイド溝３５０ａ、３５０ｂに結合されることができるように第１及び第２側壁５１０、５２０の内面から導光板３５０側に所定幅を有し、突出された第１及び第２支持部材２５１０、２５２０が形成されている。
【００７５】
より詳細には、第１支持部材２５１０は第１側壁５１０から内部側、即ち、導光板３５０側に突出される第１部分２５１２と、第１側壁５１０から内側に突出される第２部分２５１４と、第１及び第２部分２５１２、２５１４間に延びボトムシャーシ３７０の基底面と平行である第３部分２５１６を備え、第１乃至第３支持部分２５１２、２５１４、２５１６により画成される締結孔２５１８を備えて、収納される導光板３５０が収納位置で移動されることを防止する。
【００７６】
また、第２支持部材２５２０は第２側壁５２０から内部側、即ち導光板３５０側に突出される第４支持部分２５２２と、第２側壁５２０から内側に突出される第５部分２５２４と、第４及び第５支持部分２５２２、２５２４間に延びボトムシャーシ３７０の基底面と平行である第６支持部分２５２６を備え、第４乃至第６支持部分２５２２、２５２４、２５２６により画成される締結孔２５２８を備えて、収納される導光板３５０が収納位置で移動されることを防止する。
【００７７】
このように、第１及び第２支持部材２５１０、２５２０は第１及び第２側壁５１０、５２０の一部が切開され導光板３５０側に折り曲げられたことで、第１支持部材２５１０のボトムシャーシ３７０の基底面からの高さはこれと対応する導光板３５０のガイド溝３５０ａの高さより低いように形成される。
【００７８】
以上で説明した導光板３５０の移動防止構造は、導光板３５０を第１支持部材２５１０ａ及びモールドフレーム３３０の第３支持部材３３２により同時に支持することができるために、構造的な側面で、一つの支持部材のみによる固定効果より優れる信頼性を有し、導光板３５０をより確実に固定させることができるという長所がある。
【００７９】
これにより、液晶表示装置の外部より大きい衝撃が加えられた場合、導光板３５０の荷重により導光板３５０を支持する支持部材が変形を起こして破損されることを予め防止することができる。
【００８０】
一方、ボトムシャーシ３７０に結合されるモールドフレーム３３０には、図８に示したように、ボトムシャーシ３７０の第１支持部材２５１０に対応して第１支持部材２５１０と共にガイド溝３５０ａに結合されることができるように、上側内面から所定幅を有し第３支持部材３３２が形成されている。
【００８１】
より詳細には図９から明らかなように、モールドフレーム３３０の第３支持部材３３２はモールドフレーム３３０の側壁から突出された第１及び第２部分１４２１、１４２２と、第１部分１４２１と第２部分１４２２を連結する第３部分１４２３と、第３部分１４２３からモールドフレーム３３０の側壁側に突出される第４部分１４２４と、第４部分１４２４から延びて突出する第５部分１４２５と、第５部分１４２５に延びて第３部分１４２３方向に突出する第６部分１４２６からなる。
【００８２】
詳細には説明しなかったが、モールドフレーム３３０の第３支持部材３３２に対向する面にボトムシャーシ３７０の第２支持部材２５２２と共にガイド溝に結合される他の支持部材３３４をさらに備えることが望ましい。
【００８３】
図８は図３に示したモールドフレームの背面構造を示した背面図である。
【００８４】
図３と図８に示すように、モールドフレーム３３０はボトムシャーシ３７０のように直六面体のボックス形状を有し、上面と下部は開口され光学シート３４０に対して液晶表示パネル３２０を露出させ、画像情報を表示するディスプレーユニットである液晶表示パネル３２０を収納する。
【００８５】
また、モールドフレーム３３０の側壁には図６に示したボトムシャーシ３７０に形成された複数の締結孔５１０ａ、５１０ｂ、５２０ａ、５２０ｂ、５３０ａ、．．．、５３０ｄ、５４０ａ、．．．、５４０ｄに対応して側壁の内面から所定部分で突出された複数の締結突起３３０ａ、．．．、３３０１が形成されている。これにより、モールドフレーム３３０はモールドフレーム３３０の締結突起３３０ａ、．．．、３３０１とボトムシャーシ３７０の締結孔５１０ａ、５１０ｂ、５２０ａ、５２０ｂ、５３０ａ、．．．、５３０ｄ、５４０ａ、．．．、５４０ｄとの結合によりボトムシャーシ３７０の外郭を取囲むように結合され、光学シート３４０、導光板３５０及び反射板３６０がボトムシャーシ３７０内で上下方向及び左右方向に移動することを防止する。
【００８６】
また、モールドフレーム３３０の側壁には図６に示したボトムシャーシ３７０の第１及び第２支持部材２５１０、２５２０に対応して、前述した第１及び第２支持部材２５１０、２５２０と共にガイド溝３５０ａ、３５０ｂに結合されることができるように上側内面から所定幅を有するよう突出された第３及び第４支持部材３３２、３３４が形成されている。
【００８７】
図１０は、図６のボトムシャーシと前述した図９のモールドフレームが結合された状態を示す部分断面図である。
【００８８】
図６、９、１０に示すように、モールドフレーム３３０とボトムシャーシ３７０が結合された状態でモールドフレーム３３０の第３支持部材３３２はボトムシャーシ３７０の第１支持部材２５１０と共に導光板３５０のガイド溝３５０ａと結合して第１支持部材２５１０の上面と相接して支持される。
【００８９】
これにより、ボトムシャーシ３７０の基底面からの第１支持部材２５１０の高さｔ１とモールドフレーム３３０の基底面からの第３支持部材３３２の高さｔ２の和は反射板３６０、導光板３５０及び光学シート３４０が積層された高さと同一になる。
【００９０】
従って、モールドフレーム３３０とボトムシャーシ３７０を組立てる場合、第１及び第３支持部材２５１０、３３２が導光板３５０のガイド溝３５０ａに同時に結合され、導光板３５０を支持することができるために、ボトムシャーシ３７０内で導光板３５０の水平移動を防止することができる。
【００９１】
図１１は本発明の他の実施形態によるボトムシャーシの構造を示した斜視図であり、図１２は反射板と導光板の付着関係の一例を説明するための図であり、前記図６と比較して同様の構造要素については同じ符号を付与し、その説明は省略する。
【００９２】
図３と図１１、図１２に示すように、ボトムシャーシ３７０の第１側壁５１０と第２側壁５２０の各中央部には導光板３５０の両端部に形成されたガイド溝３５０ａ、３５０ｂに対応して内面から導光板３５０側に所定幅を有し、「コ」字形状に突出された第１及び第２支持部材５１２、５２２が形成されている。各々の第１及び第２支持部材５１２、５２２は導光板３５０のガイド溝３５０ａ、３５０ｂと結合してボトムシャーシ３７０内に収納される導光板３５０がボトムシャーシ３７０内で移動することを防止する。ここでは、ボトムシャーシの第１及び第２側壁５１０、５２０に二つの支持部材が形成されることを一例で説明したが、いずれか一つの側壁に支持部材を形成することができ、一つの側壁に二つ以上の支持部材を形成することもできる。
【００９３】
より詳細には、第１支持部材５１２は第１側壁５１０から内部側に、即ち、導光板３５０側に突出される第１部分５１２ａと、第１側壁５１０から内側に突出される第２部分５１２ｂと、第１及び第２部分５１２ａ、５１２ｂに各々連結され、第１側壁５１０に平行である第３部分５１２ｃからなり、収納される導光板が収納位置で移動されることを防止する。
【００９４】
また、第２支持部材５２２は第２側壁５２０から内部側に即ち、導光板３５０側に突出される第４部分５２２ａと、第２側壁５２０から内側に突出される第５部分５２２ｂと、第４及び第５部分５２２ａ、５２２ｂに各々連結され、第２側壁５２０に平行である第６部分５２２ｃからなり、収納される導光板３５０が収納位置で移動されることを防止する。
【００９５】
また、ボトムシャーシ３７０の第１乃至第４側壁５１０、５２０、５３０、５４０には、多数の締結孔５１０ａ、５１０ｂ、５２０ａ、５２０ｂ、５３０ａ、．．．、５３０ｄ、５４０ａ、．．．、５４０ｄを備えて、モールドフレーム３３０との締結を通じてボトムシャーシ３７０内で光学シート３４０、導光板３５０及び反射板３６０の移動を防止する。
【００９６】
また、ボトムシャーシ３７０の第１側壁５１０と第２側壁５２０の各上面にはボトムシャーシ３７０内に収納される光学シート３４０の位置を固定するために、シート固定部３４２，３４４，３４６の固定ホール３４２ａ，３４４ａ，３４６ａに対応し、第１及び第２側壁５１０、５２０の各上面から所定高さを有するように突出された固定用ボス５１４、５２４、５２５が形成されている。
【００９７】
導光板３５０はボトムシャーシ３７０の第１及び第２支持部材５１２、５２２と導光板３５０のガイド溝３５０ａ、３５０ｂの作用によりボトムシャーシ３７０内で固定されることができるが、導光板３５０の下部に位置する反射板３６０にはその適切な固定部が備えられなくて（図１２に示す反射板３６０内の切り欠きは支持部材５１２，５２２を通過させるためのものでこの例では支持部材との係合による位置決めは行わない）、導光板３５０及び光学シート３４０に対して可変的な位置移動をする可能性がある。
【００９８】
これを防止するために、図１２に示したように、ディスプレーユニット３２０のディスプレー有効領域に直接的に影響を及ぼさない導光板３５０の背面一側と反射板３６０の上面一側は両面テープ（斜線表示）のような所定の接着手段により取付けられる。これにより、反射板３６０は導光板３５０と一体に結合されるために、導光板３５０の位置が固定されると、反射板３６０の位置も自ずと固定されることになる。
【００９９】
一方、第１及び第２支持部材５１２、５２２の高さはボトムシャーシ３７０内に収納される導光板３５０及び反射板３６０の移動を十分に防止することができるようにするために、導光板３５０と反射板３６０が結合された高さと同一に形成することが望ましい。
【０１００】
また、ボトムシャーシ３７０の第３側壁５３０と第４側壁５４０の一端部には第１ランプユニット３５２と第２ランプユニット３５４が実装されることができるように大略「コ」字形状からなり、ボトムシャーシ３７０の内側方向に折り曲げられたランプ挿入部が形成されている。これにより、第１及び第２ランプユニット３５２、３５４はランプ挿入部が開口された端部を通じてボトムシャーシ３７０の外側からスライディング挿入され、第３及び第４側壁５３０、５４０内に実装される。
【０１０１】
前述した本発明の一実施形態では、導光板と結合して導光板の移動を防止する第１及び第２支持部材５１２、５２２の形状を大略「コ」字形で形成したが、導光板３５０の移動を防止する構造であれば、多様な形状に変更して適用することができる。
【０１０２】
図１３と図１４は図６のボトムシャーシの背面構造を説明するための図である。
【０１０３】
図１３および図１４に示すように、ボトムシャーシ３７０の背面には、背面から部分的に突出し、前記した図３のモールドフレーム３３０の外縁に沿って折り曲げられた統合ＰＣＢ４１８を背面において接地すると同時に固定するための複数の第１接地部５５２、５５４、５５６が形成されている。
【０１０４】
第１接地部５５２、５５４、５５６は統合ＰＣＢ３２５に形成された第２接地部３２５ａ、３２５ｂ、３２５ｃと相接し、統合ＰＣＢ３２５をボトムシャーシ３７０に固定すると同時に接地する。ここで、第１接地部５５２、５５４、５５６にはねじとの結合のための所定直径を有する貫通孔が形成され、統合ＰＣＢ４１８の第２接地部に形成された貫通部と共にねじで締結してボトムシャーシ３７０の背面に第２接地部を固定させる。
【０１０５】
また、統合ＰＣＢ３２５がボトムシャーシ３７０の背面に固定された状態で統合ＰＣＢ３２５が外部に露出されないように、統合ＰＣＢ３２５をカバーするＰＣＢカバー（図示せず）を別途に備えることが望ましい。
【０１０６】
一方、ボトムシャーシ３７０と統合ＰＣＢ３２５が接触し、所定のねじにより締結される第１接地部５５２、５５４、５５６及び第２接地部３２５ａ、３２５ｂ、３２５ｃを除外した部分には絶縁テープのような絶縁部材を取付けて統合ＰＣＢ３２５に実装された回路部がボトムシャーシ３７０と電気的に接触されることを遮断することが望ましい。
【０１０７】
図１５は前述した図３に示したモールドフレームの背面構造の他の実施形態を示した背面図として、特に前記した図１１のボトムシャーシに対応するモールドフレームを示し、前述した図８のものと同一の構成要素については同一の符号を付与し、その説明は省略する。
【０１０８】
図１６は前記した図３のバックライトアセンブリの収納及び固定構造を示すための図である。
【０１０９】
図３と図１６に示すように、ボトムシャーシ３７０に形成された溝に第１及び第２ランプユニット３５２、３５４が内挿され、ボトムシャーシ３７０の内側に反射板３６０、導光板３５０及び光学シート３４０が順に定着された後にモールドフレーム３３０と締結される。
【０１１０】
また、ＰＣＢカバー７００はディスプレーユニット３２０に連結された統合ＰＣＢ３２５がその一部をボトムシャーシ３７０の背面に固定された状態で統合ＰＣＢ３２５が外部に露出されないように統合ＰＣＢ３２５をカバーする。
【０１１１】
図１７は前述した図３のディスプレーユニットの収納及び固定構造を示すための図である。
【０１１２】
図３と図１７に示すように、モールドフレーム３３０の開口された内側縁部分に形成された端ジョーにはディスプレーユニット３２０が定着される。
【０１１３】
また、ディスプレーユニット３２０の上部には統合ＰＣＢ３２５とゲート側ＴＣＰ３２３をモールドフレーム３３０の外部に折り曲げさせながら、ボトムシャーシ３７０の背面部に回して固定するためにトップシャーシ３１０が提供される。ここで、トップシャーシ３１０はモールドフレーム３３０と同様直六面体の形状を有し、上面部は液晶表示パネルを露出させるために開口されており、側壁部は内側垂直方向に折り曲げられて液晶表示パネルの上面縁部分をカバーする。
【０１１４】
また、モールドフレーム３３０の外部に折り曲げられるゲート側ＴＣＰ３２３に実装された複数の集積回路がモールドフレーム３３０の外面と直接的に接触し損傷されることを防止するために、ゲート側ＴＣＰ３２３が接触するモールドフレーム３３０の側壁には所定間隔で離隔される複数のリブを形成し、リブにより集積回路に過大な力がかかることを防止できるようにする。
【０１１５】
フロントケース２００はトップシャーシ３１０の上部に配置され、トップシャーシ３１０とディスプレーユニット３２０をカバーし、モールドフレーム３３０と締結される。
【０１１６】
図１８は前記図１６のＰＣＢカバーを説明するための斜視図であり、図１９は前記ボトムシャーシと結合された統合ＰＣＢの構造を説明するための図である。
【０１１７】
図１８に示したように、ＰＣＢカバー７００は統合ＰＣＢ３２５をカバーする程度の面積を有し、ボトムシャーシ３７０の複数の第１接地部５５２、５５４、５５６に対応して複数の貫通口７１０、７２０、７３０を備える。
【０１１８】
図１８と図１９に示すように、ボトムシャーシ３７０に形成された複数の第１接地部５５２、５５４、５５６は統合ＰＣＢ３２５の底面から一定部分突出された第２接地部３２５ａ、３２５ｂ、３２５ｃと結合して接地される。ここで、第２接地部３２５ａ、３２５ｂ、３２５ｃには第１接地部５５２、５５４、５５６の第１貫通孔と対応する第２貫通孔を形成して統合ＰＣＢ３２５をボトムシャーシ３７０に固定し、ＰＣＢカバー７００をボトムシャーシ３７０に固定された統合ＰＣＢ３２５の上部にねじ７１０を通じて締結して、統合ＰＣＢ３２５が外部に露出されることを防止する。
【０１１９】
前述した本発明の実施形態によると、ボトムシャーシ３７０に形成された支持部材を通じて導光板の収納位置を固定して導光板の移動を防止する構造になっている。しかし、このような導光板３５０の移動防止構造は以後に説明する本発明の他の実施形態を通じても同様に達成されることができる。
【０１２０】
図２０は本発明のさらに他の実施形態によるボトムシャーシの支持部材の構造を示した図として、図６のものと同一の構成要素については同一の参照符号を使用し、その構成要素における説明は省略する。
【０１２１】
図６と図２０に示したように、ボトムシャーシ３７０の第１側壁５１０と第２側壁５２０の中央部には導光板３５０の両端部に形成されたガイド溝３５０ａ、３５０ｂに対応して第１及び第２側壁５１０、５２０から導光板３５０側に所定幅で、大略「コ」字形状を有するように突出された第１及び第２支持部材１５１２、１５２２が形成されている。ここで、ボトムシャーシの第１及び第２側壁に各々一つの支持部材が形成されることを一例で説明したが、いずれか一つの側壁に支持部材を形成することができ、一つの側壁に二つ以上の支持部材を形成することもできる。
【０１２２】
より詳細には、第１支持部材１５１２は第１側壁５１０から内部側に即ち、導光板３５０側に突出される第１部分１５１２ａと、第１側壁５１０から内側に突出される第２部分１５１２ｂと、第１支持部分１５１２ａに連結され、第１側壁５１０に平行である第２部分１５１２ｃと、第２部分１５１２ｂに連結され第１側壁５１０に平行である第４部分１５１２ｄからなり、収納される導光板が収納位置で移動されることを防止する。
【０１２３】
また、第２支持部材１５２２は第２側壁５２０から内部側に即ち、導光板３５０側に突出される第５部分１５２２ａと、第２側壁５２０から内側に突出される第６部分１５２２ｂと、第５部分１５２２ａに連結され第２側壁５２０に平行である第７部分１５２２ｃと、第６部分１５２２ｂに連結され第２側壁５２０に平行である第８部分１５２２ｄからなり、収納される導光板が収納位置で移動されることを防止する。
【０１２４】
ここで、第１及び第２支持部材１５１２、１５２２各々には、一部が切開されることからなった開口部１５１２ｅ、１５２２ｅが形成されている。ここで、支持部材１５１２、１５２２に開口部１５１２ｅ、１５２２ｅを形成することは実際的にボトムシャーシ３７０を樹脂製とした場合にその射出時支持部材１５１２、１５２２の本来的機能をそのままに維持した状態で成形性をより容易にすることができるようにするためである。
【０１２５】
一方、ボトムシャーシ３７０の第１側壁５１０と第２側壁５２０の各上面はボトムシャーシ３７０内に収納される光学シート３４０の位置を固定するために、シート固定部３４２，３４４，３４６の固定ホール３４２ａ，３４４ａ，３４６ａに対応し、第１及び第２側壁５１０、５２０の各上面から所定高さを有するように突出された固定用ボス５１４、５２４、５２５が形成されている。
【０１２６】
これにより、光学シート３４０は固定用ボス５１４、５２４、５２５と固定ホール３４２ａ、３４４ａ、３４６ａの結合によりボトムシャーシ３７０内で水平方向の移動が防止される。ここで、固定用ボスの数は光学シートに備えられる固定部３４２，３４４，３４６と連係されるので、第１側壁５１０と第２側壁５２０に備えられる固定用ボスの設置個数を互いに相異させて、作業者が液晶表示装置を組立てる場合、光学シート３４０の上面と下面を覆して組立てることを防止することができる。
【０１２７】
図４に示した光学シートの場合、ボトムシャーシ３７０の第１支持部材５１２に中央よりずらした一つの固定用ボスを形成し、第２側壁に一定間隔に離隔して二つの固定用ボスを形成することにより、光学シート３４０が覆した状態であるいは図４に示した向きとは異なるいかような配置でも結合が不可能にすることにより、作業者の誤りにより光学シート３４０が誤った向きで結合されることを防止することができる。
【０１２８】
以上のような構成を有する本発明による液晶表示装置の組立手順を前述した図３乃至図１２を参照して詳細に説明すると次のとおりである。
【０１２９】
まず、第１ランプユニット３５２及び第２ランプユニット３５４をボトムシャーシ３７０の各側壁５３０，５４０の一端に形成された開口部を通じて挿入して装着する。
【０１３０】
次に、ボトムシャーシ３７０の収納空間で反射板３６０の一部が取り付けられた導光板３５０をボトムシャーシ３７０の支持部材５１２、５２２に導光板３５０のガイド溝３５０ａ、３５０ｂを結合させながら基底面に定着させる。ここで、支持部材５１２、５２２とガイド溝３５０ａ、３５０ｂとの結合により導光板３５０はボトムシャーシ３７０内で水平方向に関しては移動されずに、その結合位置で固定されることができる。同時に、反射板３６０は導光板３５０と一体に取付けられているために、導光板３５０と共に移動されずに、固定される。
【０１３１】
次に、光学シート３４０をボトムシャーシ３７０の固定用ボス５１４、５２４、５２５に光学シート３４０の固定ホール３４２ａ、３４４ａ、３４６ａを結合させながら、導光板３５０上に順に積層させる。ここで、光学シート３４０両端にはシート固定部３４２、３４４，３４６の個数が互いに異なって備えられているために、万一、作業者の不注意により光学シート３４０を覆して積層させると、固定用ボス５１４、５２４、５２５と固定ホール３４２ａ、３４４ａ、３４６ａが結合されることができないようになっている。
【０１３２】
従って、光学シート３４０がボトムシャーシ３７０内で常に正確な位置にセッティングされることができ、また固定用ボス５１４、５２４、５２５と固定ホール３４２ａ、３４４ａ、３４６ａとの結合により光学シート３４０はボトムシャーシ３７０に収納された状態で水平方向の移動を防止することができる。
【０１３３】
これと別に、図示しなかったが、ボトムシャーシ３７０の背面にはＡ/Ｄボード（図示せず）及びインバータボード（図示せず）が結合される。
【０１３４】
続いて、ボトムシャーシ３７０と対向してモールドフレーム３３０を結合し、反射板３６０、導光板３５０及び光学シート３４０をボトムシャーシ３７０に固定する。ここで、モールドフレーム３３０の締結突起３３０ａ、．．．、３３０１がボトムシャーシ３７０の締結孔５１０ａ、５１０ｂ、５２０ａ、５２０ｂ、５３０ａ、．．．、５３０ｄ、５４０ａ、．．．、５４０ｄにフック結合されると、モールドフレームはボトムシャーシ３７０の外面に密着して結合される。
【０１３５】
以後、モールドフレーム３３０の上部にディスプレーユニット３２０を定着し、ディスプレーユニット３２０の上面でトップシャーシ３０１０をモールドフレーム３３０の外面に結合する。ここで、データ側ＴＣＰ３２４を通じて液晶表示パネルに電気的に接続されている統合ＰＣＢ３２５をモールドフレーム３３０の側壁外側面に沿って折り曲げてボトムシャーシ３７０の背面に固定させる。
【０１３６】
また、ボトムシャーシ３７０に固定された統合ＰＣＢ３２５をＰＣＢカバー７００で覆って統合ＰＣＢ３２５が外部に露出されないようにする。
【０１３７】
また、図示しなかったが、モールドフレーム３３０の側壁外面には所定の締結孔を形成し、トップシャーシ３１０の側壁には締結孔と対応する所定の締結突起を形成してモールドフレーム３３０とボトムシャーシ３７０の結合構造と類似に結合させることができる。
【０１３８】
以後、図３に示したように、トップシャーシ３１０側でフロントケース２００が結合され、フロントケース２００と対向してボトムシャーシ３７０側でリアケース４００が結合され本発明の液晶表示装置が完成される。
【０１３９】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【０１４０】
即ち、以上では平板表示装置の一例として液晶表示装置を説明したが、ＰＣＢモジュール上での駆動方式が類似するプラズマ表示装置ＰＤＰとか有機電界発光表示装置（ＥＬ）などの一般的なフラットパネル表示装置にもそのままに適用することができ、本発明は請求範囲を外れない範囲内で多様な変更及び実施が可能である。
【符号の説明】
【０１４１】
１１０、２００ フロントケース
１２０、３１０ トップシャーシ
１３３ ミドルモールドフレーム
１３４ バックライトアセンブリ
１４０、３７０ ボトムシャーシ
１５０ ボトムモールドフレーム
１６０、４００ リアケース
３００ 液晶表示モジュール
３２０ ディスプレーユニット
３３０ モールドフレーム
３４０ 光学シート
３５０ 導光板
３６０ 反射板
【図１】
2014032971.tif 000003
【図２】
2014032971.tif 000004
【図３】
2014032971.tif 000005
【図４】
2014032971.tif 000006
【図５】
2014032971.tif 000007
【図６】
2014032971.tif 000008
【図７】
2014032971.tif 000009
【図８】
2014032971.tif 000010
【図９】
2014032971.tif 000011
【図１０】
2014032971.tif 000012
【図１１】
2014032971.tif 000013
【図１２】
2014032971.tif 000014
【図１３】
2014032971.tif 000015
【図１４】
2014032971.tif 000016
【図１５】
2014032971.tif 000017
【図１６】
2014032971.tif 000018
【図１７】
2014032971.tif 000019
【図１８】
2014032971.tif 000020
【図１９】
2014032971.tif 000021
【図２０】
2014032971.tif 000022